(57)【要約】    【構成】  基礎貫通孔形成型１０は管部２０を有し、管部２０には切れ目２８が成形される。これを用いて施工する場合、基礎型枠内に基礎貫通孔形成型１０を配置し、基礎型枠内にコンクリートを流し込み、乾燥後切れ目２８から管部２０を切断して取り除き、基礎内に基礎貫通孔を形成する。    【効果】  基礎貫通孔に排水管を直接挿通すると、挿通可能な排水管の外径を基礎貫通孔の内径と等しい大きさまで大きくすることができる。また、排水管を基礎貫通孔内に抜き差しすることにより、基礎１４、１６を傷つけることなく、排水管を維持管理することができる。また、管部２０に切れ目２８を予め設けておくことにより、コンクリートの乾燥後でも基礎貫通孔形成型１０を簡単に取り除くことができる。【選択図】  図２
2007132134.tif 000002
【特許請求の範囲】
【請求項１】
建物の基礎に設けられ、かつ排水管が挿通される基礎貫通孔を形成するための基礎貫通孔形成型であって、
外径が前記排水管の外径以上に大きく形成された管部、および
前記管部に形成された切断部を備える、基礎貫通孔形成型。
【請求項２】
建物の基礎に設けられ、かつ排水管が挿通される基礎貫通孔を形成するための基礎貫通孔形成型であって、
外径が前記排水管の外径以上に大きく形成された管部、
前記管部の両端開口をそれぞれ塞ぐ端面部、および
前記端面部に形成された吸排気口を備え、
前記吸排気口から空気を注入すると一定形状を維持し、前記吸排気口から空気を抜くと収縮する、基礎貫通孔形成型。
【請求項３】
建物の基礎に設けられ、かつ排水管が挿通される基礎貫通孔を形成するための基礎貫通孔形成型であって、
外径が前記排水管の外径以上に大きく形成されたボイド管、および
前記ボイド管に接続される鞘管を備える、基礎貫通孔形成型。
【請求項４】
請求項１または２の基礎貫通孔形成型を用いた排水管の施工方法であって、
基礎型枠を形成し、
前記基礎型枠内に前記基礎貫通孔形成型を配置し、
前記基礎型枠内にコンクリートを流し込み、
前記コンクリートが乾いた後に前記基礎貫通孔形成型を取り除き、そして
前記基礎貫通孔に前記排水管を挿通する、基礎貫通孔形成型を用いた排水管の施工方法。
【請求項５】
請求項３の基礎貫通孔形成型を用いた排水管の施工方法であって、
基礎型枠を形成し、
前記基礎型枠内に前記ボイド管を含む前記基礎貫通孔形成型の少なくとも一部を配置し、
前記基礎型枠内にコンクリートを流し込み、
前記コンクリートが乾いた後に前記ボイド管を取り除き、そして
前記基礎貫通孔および前記鞘管に前記排水管を挿通する、基礎貫通孔形成型を用いた排水管の施工方法。
【請求項６】
コンクリートで形成され、中に配筋が埋設された基礎、
前記配筋から被り厚さ以上の間隔を隔てて設けられ、かつ前記基礎を貫通する基礎貫通孔、および
前記基礎貫通孔の周囲の前記配筋を結んで形成される面と前記基礎貫通孔とが交わる位置に鞘管を備えていない、基礎構造。
【発明の詳細な説明】
【技術分野】
【０００１】
この発明は、基礎貫通孔形成型、それを用いた排水管の施工方法および基礎構造に関し、特にたとえば、建物の基礎に設けられ、かつ排水管が挿通される基礎貫通孔を形成するための基礎貫通孔形成型、それを用いた排水管の施工方法および基礎構造に関する。
【背景技術】
【０００２】
従来の基礎貫通孔形成型の一例が、特許文献１および２に開示されている。
【０００３】
この特許文献１の排水路では、べた基礎にベント管が埋設され、ベント管内にフレキシブル管が挿通されている。
【０００４】
また、特許文献２の建物の排水管配管構造では、建物の基礎部であるコンクリートスラブに鞘管が埋設され、鞘管内に排水管が挿通されている。
【特許文献１】特許第３５９２６５８号公報［Ｅ０３Ｃ  １−１２２、Ｅ０３Ｆ  ３／０４、Ｅ０３Ｆ  ３／０６］
【特許文献２】特許第３５９５７６１号公報［Ｅ０３Ｃ  １−１２２、Ｅ０３Ｆ  ３／０４、Ｅ０３Ｆ  ３／０６］
【発明の開示】
【発明が解決しようとする課題】
【０００５】
特許文献１および２の従来技術では、排水管などは鞘管などに挿通されているため、これらは住宅の品質確保促進法における維持管理の容易性に関して等級２以上に適合される。
【０００６】
しかしながら、排水管などの外径を鞘管などの内径以下にしなくてはならないため、排水管などの外径は、最大でも鞘管の内径、つまり基礎に形成された貫通孔の内径より鞘管の肉厚分だけ小さくなってしまう。
【０００７】
そして、この貫通孔の内径は基礎内に埋設される配筋により制限される。つまり、基礎内に配筋が格子状に組まれて埋設されており、貫通孔は各配筋から所定の間隔を取って形成されなければならない。このため、貫通孔の最大内径は配筋間の距離により決まる。そうすると、鞘管の肉厚を考慮した外径の小さな排水管を選ばなければならず、排水管が満水になりやすくなることにより、排水器具の封水破壊などの問題が起こる恐れが生じる。
【０００８】
それゆえに、この発明の主たる目的は、排水管の維持管理の容易性を確保しながら、排水管の径を大きくすることができる、基礎貫通孔形成型、それを用いた排水管の施工方法および基礎構造を提供することである。
【課題を解決するための手段】
【０００９】
請求項１の発明は、建物の基礎に設けられ、かつ排水管が挿通される基礎貫通孔を形成するための基礎貫通孔形成型であって、外径が排水管の外径以上に大きく形成された管部、および管部に形成された切断部を備える、基礎貫通孔形成型である。
【００１０】
請求項１の発明では、基礎貫通孔形成型は管部を備え、管部に切断部が形成される。
【００１１】
この基礎貫通孔形成型を用いる場合、たとえば、建物の基礎を作るための基礎型枠を形成し、基礎型枠内に基礎貫通孔形成型を配置する。そして、基礎型枠内にコンクリートを流し込み、コンクリートが乾いた後に切断部から管部を切断して基礎貫通孔形成型を取り除く。これにより、内径が管部の外径と同じ大きさの基礎貫通孔が基礎に形成される。そして、その基礎貫通孔に排水管を挿通する。
【００１２】
このように、基礎貫通孔形成型を取り除いて基礎に基礎貫通孔を形成することにより、基礎貫通孔の大きさを最大限使用することができる。このため、基礎貫通孔に排水管を直接挿通すると、排水管に、外径が最大で基礎貫通孔の内径と等しい大きさのものを選ぶことができる。
【００１３】
また、管部に予め切断部を設けておくと、コンクリートの固化後でも小さな力で基礎貫通孔形成型を取り除くことができる。
【００１４】
さらに、基礎貫通孔内に排水管を挿通することにより、排水管を交換などする場合でも、基礎を傷つけることなく排水管を基礎貫通孔に容易に抜き差しすることができるため、住宅の品質確保促進法における維持管理の容易性に関して等級２以上に適合される。
【００１５】
請求項２の発明は、建物の基礎に設けられ、かつ排水管が挿通される基礎貫通孔を形成するための基礎貫通孔形成型であって、外径が排水管の外径以上に大きく形成された管部、管部の両端開口をそれぞれ塞ぐ端面部、および端面部に形成された吸排気口を備え、吸排気口から空気を注入すると一定形状を維持し、吸排気口から空気を抜くと収縮する、基礎貫通孔形成型である。
【００１６】
請求項２の発明では、基礎貫通孔形成型は両端開口が端面部で塞がれた管部を備え、端面部に吸排気口が設けられている。
【００１７】
この基礎貫通孔形成型を用いる場合、たとえばコンクリートを基礎型枠に流し込む前に吸排気口から基礎貫通孔形成型内に空気を注入して、基礎貫通孔形成型を一定形状に予め形作っておく。そして、基礎型枠内に基礎貫通孔形成型を配置して、コンクリートを基礎型枠内に流し込む。コンクリートが乾燥したら、吸排気口から空気を抜いて基礎貫通孔形成型を収縮させて、基礎内から基礎貫通孔形成型を取り除く。取り除いた後に形成された基礎貫通孔に排水管を挿入する。
【００１８】
このように、請求項１の発明と同様に、基礎貫通孔の大きさを最大限使用することができ、また、排水管を容易に維持管理することができる。
【００１９】
また、基礎貫通孔形成型に空気を注入したり、抜いたりすることにより、基礎貫通孔形成型を使い回しすることができ、使用後の基礎貫通孔形成型はごみにならず、環境問題に対応することができる。
【００２０】
請求項３の発明は、建物の基礎に設けられ、かつ排水管が挿通される基礎貫通孔を形成するための基礎貫通孔形成型であって、外径が前記排水管の外径以上に大きく形成されたボイド管、およびボイド管に接続される鞘管を備える、基礎貫通孔形成型である。
【００２１】
請求項３の発明では、基礎貫通孔形成型は鞘管およびボイド管を備え、ボイド管の端部は鞘管の端部内に挿入されて、ボイド管は鞘管に接続される。
【００２２】
たとえば、建物の基礎を作るための基礎型枠を形成し、基礎型枠内に基礎貫通孔形成型の全部またはボイド管を含む基礎貫通孔形成型の一部を配置する。次に、基礎型枠内にコンクリートを流し込み、コンクリートが乾いた後にボイド管を基礎から取り除いて、基礎貫通孔を形成する。そして、その基礎貫通孔および鞘管に排水管を挿通する。
【００２３】
このように、ボイド管を基礎から取り除くと、取り除いた位置に基礎貫通孔が形成され、その内径はボイド管の外径と同じ大きさになる。また、ボイド管の端部は鞘管の端部内に挿入され、ボイド管は鞘管に接続されることにより、ボイド管の外径が鞘管の内径に等しく設定される。このため、基礎貫通孔の内径は鞘管の内径に等しくなる。よって、最大で外径が基礎貫通孔および鞘管の内径に等しい大きさの排水管を基礎貫通孔および鞘管内に挿入することができる。
【００２４】
また、鞘管に曲管を用いると、従来使用されている直管形状のボイド管を用いて、曲がった基礎貫通孔を形成することができるため、材料コストを抑えられ、経済的に優れる。
【００２５】
さらに、基礎貫通孔および鞘管内に排水管を挿通することにより、排水管を交換などする場合でも、基礎を傷つけることなく排水管を基礎貫通孔に容易に抜き差しすることができる。
【００２６】
請求項４の発明は、請求項１または２の基礎貫通孔形成型を用いた排水管の施工方法であって、基礎型枠を形成し、基礎型枠内に基礎貫通孔形成型を配置し、基礎型枠内にコンクリートを流し込み、コンクリートが乾いた後に基礎貫通孔形成型を取り除き、そして基礎貫通孔に排水管を挿通する、基礎貫通孔形成型を用いた排水管の施工方法である。
【００２７】
請求項４の発明では、請求項１または２の発明と同様の作用を示す。
【００２８】
請求項５の発明は、請求項３の基礎貫通孔形成型を用いた排水管の施工方法であって、  基礎型枠を形成し、基礎型枠内にボイド管を含む基礎貫通孔形成型の少なくとも一部を配置し、基礎型枠内にコンクリートを流し込み、コンクリートが乾いた後にボイド管を取り除き、そして基礎貫通孔および鞘管に排水管を挿通する、基礎貫通孔形成型を用いた排水管の施工方法である。
【００２９】
請求項５の発明では、請求項３の発明と同様の作用を示す。
【００３０】
請求項６の発明は、コンクリートで形成され、中に配筋が埋設された基礎、配筋から被り厚さ以上の間隔を隔てて設けられ、かつ基礎を貫通する基礎貫通孔、および基礎貫通孔の周囲の配筋を結んで形成される面と基礎貫通孔とが交わる位置に鞘管を備えていない、基礎構造である。
【００３１】
請求項６の発明では、基礎に基礎貫通孔が形成され、基礎貫通孔の周囲の配筋を結んで形成される面と基礎貫通孔とが交わる位置に鞘管を備えていない。このため、基礎貫通孔の中に排水管を通す場合、鞘管の肉厚を考慮する必要がないため、排水管の外径を基礎貫通孔の内径まで大きく設定することができる。
【００３２】
このように、排水管の径を大きくすることにより、排水管が満水になりにくく、排水器具の封水破壊などの問題が生じにくい。
【００３３】
また、基礎貫通孔に排水管を抜き差しすると、基礎を傷つけることなく排水管を容易に維持管理することができる。
【発明の効果】
【００３４】
この発明によれば、基礎貫通孔形成型を取り除いて基礎に基礎貫通孔を形成し、その中に排水管を直接挿通することにより、排水管の径を大きくすることができ、しかも、排水管を基礎貫通孔に抜き差しすることにより、排水管の維持管理の容易性を確保することができる。
【００３５】
この発明の上述の目的，その他の目的，特徴および利点は、図面を参照して行う以下の実施例の詳細な説明から一層明らかとなろう。
【発明を実施するための最良の形態】
【００３６】
図１に示すこの発明の一実施例である基礎貫通孔形成型（以下、形成型と言う。）１０は、図２に示すように、中に配筋１２が埋設されたコンクリートの基礎１４、１６などに排水管を挿通するための図３に示す基礎貫通孔１８を形成するために用いられる。
【００３７】
形成型１０は、図１および図２に示す管部２０を備える。管部２０はポリエチレンやポリプロピレンなどの合成樹脂やボール紙などで形成される。断面形状が円形の筒状で、両端は開口する。管部２０の一部に湾曲部２２を有する。つまり、管部２０は第１端面２４に対して直角に直線状に延び、湾曲して斜めに立ち上がる。そして、第２端面２６が第１端面２４に対して直角に設けられる。このため、第１端面２４を垂直に配置すると、第２端面２６は水平に配置される。
【００３８】
管部２０の外径ｄは、排水管の外径以上に大きく形成され、かつ配筋１２のピッチｐから配筋１２の半径ｒの２倍および被り厚さｋの２倍を引いた長さ以下に設定される。なお、被り厚さｋは、配筋１２の品質や強度などを維持するコンクリートの厚みとして、コンクリート基礎型枠の設置状況などにより予め定められている。また、配筋１２のピッチｐは、隣り合う配筋１２の中心間の距離を示す。
【００３９】
管部２０には切断部が形成される。切断部は、管部２０を切断するものであって、たとえば、管部２０の管壁を貫通するミシン目状の切れ目２８である。切れ目２８は、ひとつながりで、管部２０に対して螺旋状に形成される。
【００４０】
この形成型１０を用いる場合、まず建物の基礎１４、１６などを作るための基礎型枠（図示せず）を形成して、図２に示すように基礎型枠内に配筋１２を配置する。次に、第１端面２４を垂直にして、各配筋１２の中心から配筋１２の半径ｒと被り厚さｋとを足した距離以上を隔てた位置が外面になるように形成型１０を配置する。そして、基礎型枠内にコンクリートを流し込んで基礎１４、１６を形成し、コンクリートが乾いた後に基礎型枠および形成型１０を取り除く。このとき、図３に示すように管部２０の端を切れ目２８に沿って少し切断した後に切断した先を引っ張ると、切れ目２８が端から順番に裂けて、管部２０は帯状に連続的に切断される。そして、切断した管部２０を取り除けば、取り除いた位置に基礎貫通孔１８が形成される。この基礎貫通孔１８は、その内径が管部２０の外径と同じ大きさで、管部２０の外形とほぼ同一形状に形成される。基礎貫通孔１８の下端開口１８ａは基礎の鉛直部１６の外側面に設けられ、上端開口１８ｂは基礎の水平部１４の上面に設けられる。
【００４１】
そして、図４（Ａ）および図４（Ｂ）に示すように、上端開口１８ｂから基礎貫通孔１８内へコルゲート管など可撓性を有する排水管３０を挿通すると、排水管３０を基礎貫通孔１８内に容易に挿入することができる。また、外径が基礎貫通孔１８の内径と等しい排水管３０を基礎貫通孔１８に挿入すると、排水管３０は、その外面全体が基礎貫通孔１８の内面と接した状態で基礎貫通孔１８内に挿通される。一方、図４（Ｃ）に示すように、外径が基礎貫通孔１８の内径より小さな排水管３０を基礎貫通孔１８に挿入すると、排水管３０の下部の外面が基礎貫通孔１８の内面に接し、排水管３０の下部以外の外面が基礎貫通孔１８の内面から隙間３１を隔てて、排水管３０は基礎貫通孔１８内に挿通される。
【００４２】
このように、形成型１０を取り除いて基礎貫通孔１８を形成し、基礎貫通孔１８の周囲の配筋１２を結んで形成される面と基礎貫通孔１８とが交わる位置に鞘管を備えていないことにより、鞘管の肉厚による基礎貫通孔１８の断面積の縮小がないため、基礎貫通孔１８の大きさを最大限使用することができる。このため、基礎貫通孔１８に排水管３０を直接挿通すると、挿通可能な排水管３０の外径を基礎貫通孔１８の内径と同じ大きさまで大きくすることができる。そして、排水管３０の大きさを大きくすれば、排水管３０が満水になりにくくなり、排水管３０に接続される排水器具（図示せず）の封水破壊などの問題が抑えられる。
【００４３】
また、管部２０に予め連続する螺旋状の切れ目２８を設けておくと、コンクリートの固化後でも管部２０の端を引っ張るだけで形成型１０を基礎１４、１６内から簡単に取り除くことができる。
【００４４】
さらに、基礎貫通孔１８内に排水管３０を挿通することにより、排水管３０を交換などする場合でも、基礎１４、１６を傷つけることなく排水管３０を基礎貫通孔１８に容易に抜き差しすることができるため、住宅の品質確保促進法における維持管理の容易性に関して等級２以上に適合される。
【００４５】
なお、管部２０に湾曲部２２を設けたが、図５（Ａ）に示すように管部３２に屈曲部３４を設けることもできる。また、管部２０の一部を湾曲し、その他の部分を直線状にしたが、図５（Ｂ）に示すように管部３６の全体を湾曲させることもできる。
【００４６】
また、管部２０に切れ目２８を予め形成したが、管部を組み立て可能に分割することもできる。この場合、管部を組み立てて基礎貫通孔１８の形成型１０として用い、基礎貫通孔１８の形成後に管部を分割して基礎内から形成型１０を取り出す。
【００４７】
図６に示すこの発明の他の実施例である形成型１０は、管部３８およびその両端開口のそれぞれを塞ぐ第１端面部４０および第２端面部４２を備える。
【００４８】
管部３８、第１端面部４０および第２端面部４２は、柔軟性を有するが、空気を通さず、弾性の少ないゴムや合成樹脂などで形成される。また、これらは一体的に形成され、形成型１０は気密性を有する。第２端面部４２に吸排気口４４が設けられる。吸排気口４４から形成型１０内に空気を注入すると、形成型１０は変形せずに一定形状を維持する。一方、吸排気口４４から形成型１０内の空気を抜くと、形成型１０は収縮する。そして、再び、形成型１０内に空気を注入すると、先の形状を維持する。
【００４９】
空気を注入して膨らませた管部３８は断面形状が円形の筒状で、管部３８の一部に湾曲部３８ａを有する。つまり、管部３８は第１端面部４０に対して直角に直線状に延びて、湾曲し、そこから斜めに立ち上がって、第２端面部４２が第１端面部４０に対して直角に設けられる。管部３８の外径は、排水管３０の外径以上に大きく、かつ配筋１２のピッチから配筋１２の半径の２倍および被り厚さの２倍を引いた長さ以下に設定される。
【００５０】
この形成型１０を用いる場合、コンクリートを基礎型枠（図示せず）に流し込む前に吸排気口４４から形成型１０内に空気を注入して、形成型１０を一定形状に形作る。そして、図７に示すように基礎型枠内に配筋１２を配置してから、配筋１２の中心から配筋１２の半径と被り厚さとを足した距離以上を隔てて形成型１０を配置し、コンクリートを基礎型枠内に流し込む。コンクリートが乾燥したら、図８に示すように吸排気口４４から空気を抜いて形成型１０を収縮させ、基礎１４、１６内から形成型１０を取り除く。図４（Ａ）および図４（Ｂ）に示すように取り除いた後にできた基礎貫通孔１８に可撓性を有する排水管３０を挿入する。この排水管３０に外径が基礎貫通孔１８の内径と等しい排水管３０を用いると、外面全体が基礎貫通孔１８の内面に接した状態で排水管３０は基礎貫通孔１８に挿通される。また、図４（Ｃ）に示すように排水管３０に外径が基礎貫通孔１８の内径より小さな排水管３０を用いると、排水管３０の下部の外面が基礎貫通孔１８の内面に接し、下部以外の外面が基礎貫通孔１８の内面から隙間３１を隔てた状態で排水管３０は基礎貫通孔１８に挿通される。
【００５１】
このように、基礎貫通孔１８の形成後に形成型１０を取り除き、基礎貫通孔１８の周囲の配筋１２を結んで形成される面と基礎貫通孔１８とが交わる位置に鞘管を備えていない。これにより、鞘管の肉厚による基礎貫通孔１８の断面積の縮小がないため、最大で外径が基礎貫通孔１８の内径と等しい大きさの排水管３０を基礎貫通孔１８に挿入することができる。
【００５２】
また、基礎を傷つけることなく基礎貫通構内に排水管３０を差し入れすることができるため、排水管３０を容易に維持管理することができる。
【００５３】
さらに、形成型１０に空気を注入したり、抜いたりすることにより、形成型１０を使い回しすることができ、使用後の形成型１０はごみにならず、環境問題に対応することができる。
【００５４】
なお、管部３８に湾曲部２２を設けたが、管部３８に屈曲部を設けることもできる。また、管部３８の一部を湾曲し、その他の部分を直線状にしたが、管部３８の全部を湾曲させることもできる。
【００５５】
また、管部３８の表面に離型剤を塗布する、あるいは離型紙を貼り付けるなど、コンクリートとの離型性を良くする処理を管部３８の表面に施すこともできる。
【００５６】
図９に示すこの発明の他の実施例である形成型１０は、内管部４６を覆う外管部４８を備える。
【００５７】
内管部４６は、一部に湾曲部を有する合成樹脂管などであり、排水管として利用される。
【００５８】
外管部４８は、内管部４６の外表面の全体を覆い、耐圧性を有して一定形状を維持するが、破壊可能な発泡ウレタンなどで形成される。外管部４８は第３端面５０に対して直角に直線状に延びて、湾曲し、そこから斜めに立ち上がって、第４端面５２が第３端面５０に対して直角に設けられる。外管部４８の内径は内管部４６の外径と等しく、外管部４８の外径は配筋１２のピッチから配筋１２の半径の２倍および被り厚さの２倍を引いた長さに設定される。
【００５９】
この形成型１０を用いて施工する場合、図１０に示すように配筋１２が配置された基礎型枠（図示せず）内に、第３端面５０を垂直にした状態で、各配筋１２の中心から配筋１２の半径と被り厚さとを足した間隔を隔てた位置に外面がなるように形成型１０を配置する。そして、基礎型枠内にコンクリートを流し込む。これにより、内管部４６および外管部４８が基礎１４、１６内の基礎貫通孔１８に嵌まった状態で基礎１４、１６が形成される。この内管部４６の両端に排水管を接続すると、内管部４６は排水管の一部として利用される。
【００６０】
そして、内管部４６を交換する場合、図１１に示すように外管部４８を破壊して基礎１４、１６内から取り除くと、基礎貫通孔１８の内面と内管部４６の外面との間に隙間５４ができ、それを利用して内管部４６を基礎貫通孔１８の中から取り出す。次に、図４（Ａ）および図４（Ｂ）に示すように排水管３０が取り出された基礎貫通孔１８に新たな可撓性を有する排水管３０を挿入する。この排水管３０に外径が基礎貫通孔１８の内径と等しい排水管３０を用いると、外面全体が基礎貫通孔１８の内面に接した状態で排水管３０は基礎貫通孔１８に挿通される。また、図４（Ｃ）に示すように外径が基礎貫通孔１８の内径より小さな排水管３０を基礎貫通孔１８に挿入すると、排水管３０の下部の外面が基礎貫通孔１８の内面に接し、排水管３０の下部以外の外面が基礎貫通孔１８の内面から隙間３１を隔てて、排水管３０は基礎貫通孔１８内に挿通される。
【００６１】
このように、内管部４６の外面に外管部４８を設け、外管部４８を破壊できるようにしておけば、基礎を傷つけることなく外管部４８を除去して内管部４６を容易に取り出すことができる。
【００６２】
また、形成型１０を取り除いて基礎貫通孔１８を形成することにより、基礎貫通孔１８の周囲の配筋１２を結んで形成される面と基礎貫通孔１８とが交わる位置に鞘管を備えていない。よって、鞘管の肉厚による基礎貫通孔１８の断面積の縮小がないため、新たな排水管３０に最大外径が基礎貫通孔１８の内径に等しい排水管３０を用いることができる。
【００６３】
なお、外管部４８に湾曲部を設けたが、外管部４８に屈曲部を設けることもできる。また、外管部４８の一部を湾曲し、その他の部分を直線状にしたが、外管部４８の全部を湾曲させることもできる。
【００６４】
図１２に示すこの発明の他の実施例である形成型１０は、鞘管およびその両端にそれぞれ接続される、たとえば２つのボイド管５６を備える。
【００６５】
鞘管は樹脂で形成される。鞘管は、断面形状が円形の筒状で、管軸方向に湾曲する曲管であって、鞘管に、たとえば４５°ベント５８が用いられる。その内径は、ボイド管５６の外径と等しく設定される。
【００６６】
ボイド管５６は、その端部が４５°ベント５８の端部内に挿入されて、４５°ベント５８に接続される。ボイド管５６は、紙で形成された直管である。その外径は排水管３０の外径以上に大きく、かつ配筋１２のピッチから配筋１２の半径の２倍および被り厚さの２倍を引いた長さ以下に設定される。設定される。
【００６７】
この形成型１０を用いる場合、基礎型枠（図示せず）内に配筋１２を配置してから、配筋１２の中心から配筋１２の半径と被り厚さとを足した距離以上を隔てて形成型１０を配置し、コンクリートを基礎型枠内に流し込む。コンクリートが乾燥した後、基礎型枠を解体してから、図１３に示すように２つのボイド管５６を基礎１４、１６の中から取り除く。取り除くと、その位置に基礎貫通孔５９が設けられ、２つの基礎貫通孔５９と４５°ベント５８とが連通される。基礎貫通孔５９は、その内径がボイド管５６の外径および４５°ベント５８の内径と等しい大きさで、ボイド管５６と同じく直管状に形成される。基礎貫通孔５９の下端開口５９ａは基礎の水平部１６の外側面に設けられ、上端開口５９ｂは基礎の水平部１４の上面に設けられる。
【００６８】
そして、図１４（Ａ）および図１４（Ｂ）に示すように上端開口５９ｂから基礎貫通孔５９および４５°ベント５８の中に可撓性を有する排水管３０を挿入する。このとき、外径が基礎貫通孔５９の内径と等しい排水管３０を用いると、外面が基礎貫通孔５９および４５°ベント５８の内面に接した状態で排水管３０は基礎貫通孔５９および４５°ベント５８に挿通される。また、一方、図１４（Ｃ）に示すように、外径が基礎貫通孔５９の内径より小さな排水管３０を基礎貫通孔５９に挿入すると、排水管３０の下部の外面が基礎貫通孔５９および４５°ベント５８の内面に接し、排水管３０の下部以外の外面が基礎貫通孔５９および４５°ベント５８の内面から間隔を隔てて、排水管３０は基礎貫通孔５９および４５°ベント５８内に挿通される。
【００６９】
このように、端部が４５°ベント５８の端部内に挿入されたボイド管５６を基礎から取り除き、内径が４５°ベント５８の内径に等しい基礎貫通孔５９が基礎内に形成される。これにより、基礎貫通孔５９の周囲の配筋１２を結んで形成される面と基礎貫通孔５９とが交わる位置に鞘管を備えておらず、鞘管の肉厚による基礎貫通孔５９の断面積の縮小がない。このため、最大外径が基礎貫通孔５９および４５°ベント５８の内径に等しい大きさの排水管３０を基礎貫通孔５９および４５°ベント５８内に挿入することができる。
【００７０】
また、ボイド管５６を４５°ベント５８に接続すると、市販品を使用して曲がった基礎貫通孔５９を形成することができるため、材料コストを抑えられ、経済的に優れる。
【００７１】
なお、４５°ベント５８内にボイド管５６の端部を挿入したが、４５°ベント５８の端とボイド管５６の端とを付き合わせたり、ボイド管５６内に４５°ベント５８の端部を挿入したりすることもできる。
【００７２】
図１５に示すこの発明の他の実施例である形成型１０は、鞘管およびその両端にそれぞれ接続される、たとえば２つのボイド管５６を備える。なお、図１２の形成型１０の共通する部分については同じ番号を付して、その番号の説明は省略している。
【００７３】
鞘管は、樹脂で形成され、曲管および受口付直管６０を有する。曲管には、たとえば９０°ベント６２が用いられ、その外面に突起６４が装着される。９０°ベント６２の端から突起６４の位置までの長さは基礎の鉛直部１６の幅より短く設定される。９０°ベント６２の一端６２が受口付直管６０の受口６０ａに挿入されて、９０°ベント６２は受口付直管６０に接続される。９０°ベント６２および受口付直管６０の内径は、ボイド管５６の外径と等しく設定される。
【００７４】
２つのボイド管５６の一方のボイド管５６は、その端部が９０°ベント６２の他端６２ｂに挿入されて、鞘管に接続される。他方のボイド管５６は、その端部が受口付直管６０の管部６０ｂに挿入されて、鞘管に接続される。
【００７５】
この形成型１０を用いる場合、まず基礎の水平部１４の下方に基礎の鉛直部１６が延びる基礎型枠（図示せず）を形成し、基礎型枠内に配筋１２を配置する。そして、９０°ベント６２の突起６４が基礎の鉛直部１６の基礎型枠の内側に係止されるように、９０°ベント６２に接続されるボイド管５６を基礎の鉛直部１６の基礎型枠内に配置する。この突起６４の位置は９０°ベント６２の端から基礎の鉛直部１６の幅より短く設定されているため、９０°ベント６２は基礎の鉛直部１６を貫通せずに、９０°ベント６２の端は基礎の鉛直部１６内に位置する。また、受口付直管６０に接続されるボイド管５６を基礎の水平部１４の基礎型枠内に配置する。２つのボイド管５６をそれぞれ基礎型枠内に配置する際、配筋１２の中心から配筋１２の半径と被り厚さとを足した距離以上を隔ててボイド管５６を配置する。
【００７６】
それから、図１６に示すようにコンクリートを基礎型枠内に流し込み、コンクリートが乾燥した後、基礎型枠を解体して、２つのボイド管５６を基礎１４、１６内から取り除く。最後に、ボイド管５６を取り除いた位置に形成された基礎貫通孔５９および９０°ベント６２の中に可撓性を有する排水管３０を挿入する。このとき、外径が基礎貫通孔５９の内径と等しい排水管３０を用いると、外面全体が基礎貫通孔５９および９０°ベント６２の内面に接した状態で排水管３０は基礎貫通孔５９および９０°ベント６２に挿通される。また、外径が基礎貫通孔５９の内径より小さな排水管３０を基礎貫通孔５９および９０°ベント６２に挿入すると、排水管３０の下部の外面が基礎貫通孔５９および９０°ベント６２の内面に接し、排水管３０の下部以外の外面が基礎貫通孔５９および９０°ベント６２の内面から間隔を隔てて、排水管３０は基礎貫通孔５９内に挿通される。
【００７７】
このように、基礎貫通孔５９の周囲の配筋１２を結んで形成される面と基礎貫通孔５９とが交わる位置に鞘管を備えておらず、鞘管の肉厚による基礎貫通孔５９の断面積の縮小がない。このため、基礎貫通孔５９内に排水管３０を直接挿通することにより、排水管３０の外径を基礎貫通孔５９の内径と同じ大きさまで大きくすることができる。
【００７８】
なお、９０°ベント６２および受口付直管６０内にボイド管５６の端部を挿入したが、９０°ベント６２などの端とボイド管５６の端とを付き合わせたり、ボイド管５６内に９０°ベント６２などの端部を挿入したりすることもできる。
【００７９】
また、図１６では、鞘管に９０°ベント６２および受口付直管６０を用い、２つのボイド管５６を鞘管の両端にそれぞれ接続して、ボイド管５６により基礎の水平部１４および基礎の鉛直部１６内にそれぞれ基礎貫通孔５９を形成した。これに対して、図１７に示すように、鞘管に、たとえば４５°ベント６６および受口付直管６０を用い、この鞘管の端部内にたとえば１つのボイド管５６を接続して、基礎の鉛直部１６内に基礎貫通孔５９を形成することもできる。この場合、水平面に土間コンクリート６８を設けるが、土間コンクリート６８は、その中に配筋１２が含まれず、建物の基礎を構成しない。
【００８０】
排水管３０を施工する際、中に配筋１２が配置された基礎の鉛直部１６の基礎型枠を形成し、４５°ベント６６の突起６４が基礎型枠の内側に係止されるようにしながら、外面が配筋１２の中心から配筋１２の半径と被り厚さとを足した距離以上を隔ててボイド管５６を配置する。それから、コンクリートを基礎型枠内に流し込み、コンクリートの乾燥後、基礎型枠を解体して、２つのボイド管５６を基礎内から取り除く。そして、図１８に示すように、基礎貫通孔５９および４５°ベント６６の中に可撓性を有する排水管３０を挿入する。
【図面の簡単な説明】
【００８１】
【図１】この発明の一実施例の形成型を示す平面図である。
【図２】図１の形成型を基礎型枠内に配置した状態を示す断面図である。
【図３】図１の形成型を切断している状態を示す断面図である。
【図４】（Ａ）は基礎貫通孔に外径が基礎貫通孔の内径と等しい排水管を挿通した状態を示す断面図であり、（Ｂ）は（Ａ）の基礎貫通孔および排水管を示す断面図であり、（Ｃ）は基礎貫通孔に外径が基礎貫通孔の内径より小さな排水管を挿通した状態を示す断面図である。
【図５】（Ａ）はこの発明の別の実施例の形成型を示す平面図であり、（Ｂ）はこの発明のさらに別の実施例の形成型を示す平面図である。
【図６】この発明のさらに別の実施例の形成型を示す平面図である。
【図７】図６の形成型を基礎型枠内に配置した状態を示す断面図である。
【図８】図６の形成型を収縮した状態を示す断面図である。
【図９】この発明のさらに別の実施例の形成型を示す平面図である。
【図１０】図９の形成型を基礎型枠内に配置した状態を示す断面図である。
【図１１】図９の形成型を壊して取り除いた状態を示す断面図である。
【図１２】この発明のさらに別の実施例の形成型を基礎型枠内に配置した状態を示す断面図である。
【図１３】図１２の形成型からボイド管を取り除いて、基礎内に基礎貫通孔を形成した状態を示す断面図である。
【図１４】（Ａ）は図１３の基礎貫通孔および４５°ベント内に外径が基礎貫通孔の内径と等しい排水管を挿通した状態を示す断面図であり、（Ｂ）は（Ａ）の基礎貫通孔および排水管を示す断面図であり、（Ｃ）は基礎貫通孔に外径が基礎貫通孔の内径より小さな排水管を挿通した状態を示す断面図である。
【図１５】この発明のさらに別の実施例の形成型を基礎型枠内に配置した状態を示す断面図である。
【図１６】図１５の形成型からボイド管を取り除いて、基礎内に基礎貫通孔を形成し、その基礎貫通孔、９０°ベントおよび受口付直管内に排水管を挿通した状態を示す断面図である。
【図１７】この発明のさらに別の実施例の形成型を基礎型枠内に配置した状態を示す断面図である。
【図１８】図１７の形成型からボイド管を取り除いて、基礎内に基礎貫通孔を形成し、その基礎貫通孔、４５°ベントおよび受口付直管内に排水管を挿通した状態を示す断面図である。
【符号の説明】
【００８２】
１０…形成型
１４…基礎の水平部
１６…基礎の鉛直部
１８、５９…基礎貫通孔
２０、３６、３８、４８…管部
３０…排水管
４０…第１端面部
４２…第２端面部
４４…吸排気口
５８、６６…４５°ベント
５６…ボイド管
６０…受口付直管
６２…９０°ベント
【図１】
2007132134.tif 000003
【図２】
2007132134.tif 000004
【図３】
2007132134.tif 000005
【図４】
2007132134.tif 000006
【図５】
2007132134.tif 000007
【図６】
2007132134.tif 000008
【図７】
2007132134.tif 000009
【図８】
2007132134.tif 000010
【図９】
2007132134.tif 000011
【図１０】
2007132134.tif 000012
【図１１】
2007132134.tif 000013
【図１２】
2007132134.tif 000014
【図１３】
2007132134.tif 000015
【図１４】
2007132134.tif 000016
【図１５】
2007132134.tif 000017
【図１６】
2007132134.tif 000018
【図１７】
2007132134.tif 000019
【図１８】
2007132134.tif 000020